(57)【要約】【課題】特性の異なる複数種類の光源を組み合わせて、省電力性や長寿命性を確保しつつ、設置場所に応じた実用レベルの明るさと意匠的な照明効果を得ることのできる照明器具を提供する。【解決手段】本発明の照明器具１は、第一光源、第二光源、照度センサ１４、人感センサ１６、及び制御回路部を備える。第一光源は、省電力性や長寿命性に優れた発光ダイオードランプ１１からなり、周囲の明るさが設定値を下回ると自動的に点灯して、周囲の明るさが回復すると消灯する。第二光源は、必要な範囲を十分な明るさで照らすことのできる蛍光ランプ９等からなり、設定エリア内に人が接近すると点灯して、人がいなくなると消灯する。【選択図】図１
2004247157.tif 000002
【特許請求の範囲】
【請求項１】
発光ダイオードランプからなる第一光源と、白熱ランプ若しくは蛍光ランプ、または前記第一光源とは異なる他の発光ダイオードランプからなる第二光源と、周囲の明るさを検知する照度センサと、人体の接近を検知する人感センサと、前記各センサの検知に基づいて前記各光源の点消灯を制御する制御回路部とを備え、
前記第一光源は、周囲の明るさが設定値を下回ると自動的に点灯し、周囲の明るさが設定値を上回ると自動的に消灯するように制御されるとともに、
前記第二光源は、前記第一光源の点灯中に設定エリア内に人体が接近すると自動的に点灯し、人体が離反して一定時間を経過すると自動的に消灯するように制御されることを特徴とする照明器具。
【請求項２】
互いに特性の異なる第一光源と第二光源とを備え、半透明の光拡散シート材料からなるセードの内側に前記第二光源が配置されるとともに、前記セードの外側に前記第一光源が配置されて、第二光源からの光は前記セードを透過して照射される一方、第一光源からの光は前記セードの外表面に反射して照射されることを特徴とする照明器具。
【請求項３】
第一光源は発光ダイオードランプからなり、第二光源は白熱ランプ若しくは蛍光ランプまたは前記第一光源とは異なる他の発光ダイオードランプからなることを特徴とする請求項２に記載の照明器具。
【請求項４】
セードが円筒形、円錐形、半球形、紡錘形ないしこれらに類する回転体形状に形成され、このセードの外側に、全周が透明な回転体形状のカバーが被せられたことを特徴とする請求項２に記載の照明器具。
【発明の詳細な説明】
【０００１】
【発明の属する技術分野】
本発明は、主として建物の屋外部分に設置される照明器具に関する。
【０００２】
【従来の技術】
庭園灯や門灯、街路灯などのエクステリア照明として、地上に立設されるポール式の照明器具が広く利用されている（例えば特許文献１〜４参照）。この種の照明器具では、照度センサで周囲の照度を検知し、周囲が一定レベルよりも暗くなると自動的に点灯する制御形態を採用したものが一般的である。また、人感センサで人の接近を検知したときに、必要な部分を一定時間、照らすようにした制御形態もよく利用されている。
【０００３】
【特許文献１】
特開平５−１７４９７８号公報
【特許文献２】
特開２０００−１３３４７５号公報
【特許文献３】
特開２０００−３３７０６４号公報
【特許文献４】
特開昭６３−１３６４０１号公報
【０００４】
【発明が解決しようとする課題】
この種のエクステリア照明は、風雨に曝される屋外空間で、毎夜、長時間にわたり動作するものであり、インテリア照明に比べれば日常的なメンテナンスも満足に行われにくい。したがって、器具本体の耐久性や密閉性に加え、光源にも省電力性や長寿命性が求められる。このような事情から、常夜灯タイプの照明器具では、その光源として、白熱ランプよりも消費電力の小さい蛍光ランプが優位的に利用されている。しかし、蛍光ランプは点灯時の明るさを変化させるのが困難なので、使用態様としては消灯か点灯かの二態様しかなく、照明効果が単調になりがちである。
【０００５】
そこで、常夜灯タイプの照明器具であっても、特に調光の必要な場所、あるいは人が接近したとき、一時的に明るくしたいような場所では、その光源に白熱ランプやハロゲンランプを使用して、調光スイッチや調光センサで明るさを変化させるケースもある。しかし、このようなタイプでは、点灯時間が長時間にわたると電気代が嵩むという不都合がある。
【０００６】
また、近年では、消費電力がさらに小さく、光源の寿命も長い発光ダイオードランプが、各種の照明器具に利用されている。しかし、発光ダイオードランプは、輝度が高いものの、点光源で光量が少ないので、器具の周辺を広範囲にわたって照らすだけの明るさを得にくい。したがって、発光ダイオードランプをエクステリア照明に利用するとなると、実用レベルの明るさを得るためには、相当数の発光ダイオードランプを取り付ける必要がある。
【０００７】
本発明は、このような事情に鑑みてなされたもので、特性の異なる複数種類の光源を組み合わせて制御することにより、省電力性や長寿命性を確保しつつ、設置態様に応じた実用レベルの明るさと意匠的な照明効果を得ることのできる照明器具を提供するものである。
【０００８】
なお、本発明の照明器具は、特にエクステリア照明として好適に利用できることを目的としているが、インテリア照明としての利用を妨げるものではない。
【０００９】
【課題を解決するための手段】
前記課題を解決するため、本発明の照明器具は、発光ダイオードランプからなる第一光源と、白熱ランプ若しくは蛍光ランプ、または前記第一光源とは異なる他の発光ダイオードランプからなる第二光源と、周囲の明るさを検知する照度センサと、人体の接近を検知する人感センサと、前記各センサの検知に基づいて前記各光源の点消灯を制御する制御回路部とを備え、前記第一光源は、周囲の明るさが設定値を下回ると自動的に点灯し、周囲の明るさが設定値を上回ると自動的に消灯するように制御されるとともに、前記第二光源は、前記第一光源の点灯中に設定エリア内に人体が接近すると自動的に点灯し、人体が離反して一定時間を経過すると自動的に消灯するように制御されることを特徴とする。
【００１０】
すなわち、この発明は、第一光源を常夜灯として連続的に点灯させるとともに、第二光源を人体接近時の臨時的な照明として点灯させるように構成したものである。この発明によれば、無人時でも真っ暗にはならず、第一光源によって最小限の明るさが得られるとともに、人体が接近した時には、その間だけ、必要な範囲を十分な明るさで照らすことができる。そして、点灯時間が長くなる第一光源には省電力性や長寿命性に優れた発光ダイオードランプを利用する一方、点灯時間が短い第二光源には白熱ランプなど、照度の高い光源を利用することで、電気代の上昇を抑制しつつ、照明効果の向上を図っている。
【００１１】
第二光源の種類としては、第一光源よりも高照度であり、これに加えて、照射方向や色合いその他の特性も第一光源とは異なっているものが好ましい。したがって、現状では白熱ランプや蛍光ランプが実用的であるが、第一光源とは異なる他の発光ダイオードランプも、その性能次第で充分に利用可能である。なお、ここでの「異なる」とは、第一光源と第二光源に用いる発光ダイオードランプ自体の光学的特性、電気的特性、構造形態等が相違することのほか、同種のランプを用いる場合であっても、各光源を構成するランプの個数や取付形態等の違いにより、全体として明るさや配光形態が相違することも含む。
【００１２】
また、本発明の照明器具は、互いに特性の異なる第一光源と第二光源とを備え、半透明の光拡散シート材料からなるセードの内側に前記第二光源が配置されるとともに、前記セードの外側に前記第一光源が配置されて、第二光源からの光は前記セードを透過して照射される一方、第一光源からの光は前記セードの外表面に反射して照射されることを特徴とする。
【００１３】
この発明は、複数種類の光源を単純に並置するのではなく、セードを挟んで内外に配置することにより、各光源の特性を生かした新規な照明効果を得ようとするものである。半透明の光拡散シート材料としては、例えば表面をマット加工した乳白色の薄い樹脂シートや、和紙その他の繊維質材料の表面に樹脂コーティングを施したものなどが好ましい。第二光源からの光はセードの内側から透過光として照射され、第一光源からの光はセードの外側から反射光として照射される。
【００１４】
この発明において、第一光源としては発光ダイオードランプが好適であり、第二光源としては白熱ランプ若しくは蛍光ランプ、または前記第一光源とは異なる他の発光ダイオードランプが好適である。かかる構成によれば、第一光源が高輝度の点光源である発光ダイオードランプであっても、その照射光をセードの表面で拡散反射させて、周囲を淡くぼんやりと照らし出し、照明器具自体の存在も柔和に浮かび上がらせることができる。また、光源が直接、目に入らないので、注視時の眩しさを和らげることもできる。こうして、新規な印象の照明効果を得ることができ、発光ダイオードランプの光量不足も補うことができる。
【００１５】
このような照明器具の具体的な構成は、セードが円筒形、円錐形、半球形、紡錘形ないしこれらに類する回転体形状に形成され、このセードの外側に、全周が透明な回転体形状のカバーが被せられたものとすることができる。いわゆるポール式の照明器具にこの構成を採用すれば、器具の周囲を３６０度、均等に照射することができるので、庭園灯などのエクステリア照明として好適に利用することができる。
【００１６】
【発明の実施の形態】
以下、本発明の実施の形態について、図面を参照しつつ説明する。
【００１７】
図１は、本発明の実施の形態にかかるポール式の照明器具を示す。例示の照明器具１は、庭園灯としての設置形態を想定したもので、地上に立設された支柱２の上部に取り付けられている。
【００１８】
この照明器具１は、略円筒状の基筒３と、アダプタ４を介して基筒３の上方に取着された透明のカバー５と、カバー５の頂部に取着された蓋体６とによって、器具本体の外殻部分が形成されている。駆動のための電力は、地中から支柱２の内部を経由して、基筒３の内側に設けられた制御回路部（図示せず）に供給される。
【００１９】
アダプタ４には、ソケット支持部材７を介して、ランプソケット８が取着されている。アダプタ４の中央には孔部が形成され、この孔部の上方から、ランプソケット８に電球型の蛍光ランプ９が螺着されている。本発明においては、この蛍光ランプ９が第二光源となる。ただし、この第二光源には白熱ランプ（ハロゲンランプやクリプトンランプを含む）や、発光ダイオードランプの集積体等を利用することもできる。
【００２０】
カバー５は、透明アクリル等からなる円筒体で、全周方向に光を透過させる。このカバー５の内側には、半透明の光拡散シート材料からなる略円錐形のセード１０が取着されて、蛍光ランプ９の全周を覆っている。光拡散シート材料には、例えば和紙の表面に樹脂コーティングを施したものが利用される。
【００２１】
蓋体６側に向かって縮径したセード１０の外側には、蓋体６の内側に隠れるようにして、複数個（図示は１個のみ）の発光ダイオードランプ１１が下向きに配置されている。本発明においては、これらの発光ダイオードランプ１１が第一光源となる。発光ダイオードランプ１１は、中空パイプ状の支持体１２と、その上端に取着された略円板状のＬＥＤ支持部材１３を介して支持され、セード１０の上部を囲むように、周方向に沿って配置されている。支持体１２は、下端部がアダプタ４に取着されるとともに、中間部が蛍光ランプ９をかわすように屈曲形成されて、セード１０の内側を立ち上がり、セード１０の上方まで突出している。そのため、この支持体１２は、セード１０に隠れて外側からは見えない。この支持体１２の内側には、基筒３内の制御回路部と発光ダイオードランプ１１とを電気的に接続するコードが挿通される。
【００２２】
この照明器具１には、二種類のセンサが設けられている。第一のセンサは、周囲の明るさを検知する照度センサ１４で、支柱２の上部に内蔵され、支柱２の側面に形成された窓孔１５を通じて周囲の明るさを常時監視する。そして、周囲の明るさが設定値（例えば２０ルクス程度）を下回ると、制御回路部を通じて第一光源である発光ダイオードランプ１１を点灯させ、周囲の明るさが回復すると発光ダイオードランプ１１を消灯させる。
【００２３】
第二のセンサは、人体の接近を検知する人感センサ１６で、基筒３に内蔵されて、基筒３の側面から検知部を露出させている。検知部は、左右方向に一定範囲内で回動しうるように保持され、検知エリアの調整ができるようになっている。この人感センサ１６は、昼間は作動せず、前記照度センサ１４に連動して夜間のみ作動する。すなわち、照度センサ１４が制御回路部を通じて発光ダイオードランプ１１を点灯させている条件下で、設定エリア内に人体が接近すると、制御回路部を通じて第二光源である蛍光ランプ９を点灯させる。そして、接近者がいなくなって一定時間（例えば１分程度）が経過すると、蛍光ランプ９を消灯させる。
【００２４】
なお、人感センサ１６の作動によって第二光源が点灯するとき、これに連動して第一光源が一時的に消灯し、第二光源が消灯すると再び第一光源が点灯するように制御してもよい。本発明の構成は、このような制御形態も包含するものとする。
【００２５】
このように、本発明の照明器具１は、第一光源である発光ダイオードランプ１１が、暗くなると自動的に点灯して常夜灯となり、第二光源である蛍光ランプ９が、人体の接近に応じて臨時的に点消灯するように構成されたものである。したがって、無人時でも真っ暗にはならず、最小限の明るさが得られるとともに、必要なときには第二光源が点灯して十分な明るさが得られる。長時間にわたって連続的に点灯することになる第一光源には発光ダイオードランプ１１を用いているので、消費電力を抑え、電気代を節約することができる。また、光源の寿命も長いので維持管理が楽になる。
【００２６】
そして、この照明器具１では、蛍光ランプ９の光はセード１０の内側から透過光として照射され、発光ダイオードランプ１１の光はセード１０の外側に反射して側方に照射される。そのため、発光ダイオードランプ１１のように高輝度で光量の乏しい光源でも、その光をセード１０の表面で拡散反射させることにより、セード１０が淡くぼんやりと照らし出されて、柔和な印象の照明効果が得られる。また、発光ダイオードランプ１１が蓋体６の内側に隠れて側方からは直接見えないので、発光ダイオードランプ１１固有の眩しさも和らげられる。
【００２７】
本発明の照明器具１は、前記したようなポール式の庭園灯だけでなく、他の形態でも実施可能である。その例を図２及び図３に示す。図２に示した形態は、壁面に取り付けるブラケットで、円筒形状の透明カバー５ｂ内に円筒形状のセード１０ｂを設け、セード１０ｂの内側に第二光源となる蛍光管９ｂを配置するとともに、セード１０ｂの上部外周と下部外周に沿って第一光源となる発光ダイオードランプ１１ｂを配置したものである。
【００２８】
また、図３に示した形態は、天井や庇等の下面に取り付けるシーリングライトで、皿型の透明カバー５ｃ内に、下方に向かって尖った回転体形状のセード１０ｃを設け、セード１０ｃの内側に第二光源となる白熱ランプ９ｃを配置するとともに、セード１０ｃの上部外周に沿って第一光源となる発光ダイオードランプ１１ｃを配置したものである。これら以外にも、器具本体、カバー、セードのそれぞれに種々の回転体形状や非回転体形状を組み合わせて、様々な形態で実施することができる。
【００２９】
なお、前記各形態における照度センサや人感センサの位置は、検知性能が損なわれない限りにおいて任意である。また、照度センサと人感センサとは、同一のケース内に一体化されたものであってもよい。また、各光源の点消灯を制御する制御回路部の構造形態も任意であり、各センサに制御回路部が内蔵されたものであってもよい。
【００３０】
【発明の効果】
本発明の照明器具は、周囲の明るさに応じて自動的に点消灯する第一光源と、人体の接近に応じて臨時的に点消灯する第二光源とを備えるので、無人時でも真っ暗にはならず、最小限の明るさが得られるとともに、必要なときには第二光源の十分な明るさを得ることができる。点灯時間が長くなる第一光源には、省電力性に優れた発光ダイオードランプを利用しているので、電気代の上昇を抑制しながら、実用的な照明効果を得ることができる。
【００３１】
また、本発明の照明器具は、半透明の光拡散シート材料からなるセードの内側に第二光源を配置し、外側に第一光源を配置して、第二光源の光は透過光として照射させ、第一光源からの光は反射光として照射させるように構成されているので、第一光源が高輝度の点光源であっても、その光量不足を補って、周囲を淡く照らし出す柔和な照明効果が得られる。
【００３２】
さらに本発明の照明器具において、セードを円筒形、円錐形、半球形、紡錘形等の回転体形状に形成し、このセードの外側に全周が透明な回転体形状の外カバーを被せる構成を採用すれば、器具の周囲が３６０度、均等に照射されるので、エクステリア照明として好適に利用することができる。
【図面の簡単な説明】
【図１】本発明の実施の形態にかかる照明器具の半側面・半断面図である。
【図２】本発明の他の実施の形態にかかる照明器具の構造概念図である。
【図３】本発明のさらに他の実施の形態にかかる照明器具の構造概念図である。
【符号の説明】
１    照明器具
５    カバー
９    蛍光ランプ（第二光源）
１０  セード
１１  発光ダイオードランプ（第一光源）
１４  照度センサ
１６  人感センサ
【図１】
2004247157.tif 000003
【図２】
2004247157.tif 000004
【図３】
2004247157.tif 000005